(57)【要約】【課題】吐出弁の開閉音を消音し、静粛性に優れたダイヤフラムポンプを提供する。【解決手段】円筒状膜弁体13が弁座14の円筒外周面14ａに開閉自在に接触するように設けられた吐出弁11と、吐出孔９と、を有するダイヤフラムポンプであって、吐出孔９に消音ブロック30を介装し、吐出弁11の開閉音を、消音するように構成する。【選択図】図１
2010007472.tif 000002
【特許請求の範囲】
【請求項１】
円筒状膜弁体（13）が弁座（14）の円筒外周面（14ａ）に開閉自在に接触するように設けられた吐出弁（11）と、吐出孔（９）と、を有するダイヤフラムポンプに於て、
上記吐出孔（９）に消音ブロック（30）を介装し、上記吐出弁（11）の開閉音を、消音するように構成したことを特徴とするダイヤフラムポンプ。
【請求項２】
上記消音ブロック（30）は、上記吐出孔（９）を通過する吐出流体を迂回させる迂回流路（52）を上記吐出孔（９）内に形成するように構成されている請求項１記載のダイヤフラムポンプ。
【請求項３】
上記消音ブロック（30）は、上記吐出孔（９）を通過する吐出流体を絞る絞り流路（51）を、上記吐出孔（９）内に形成するように構成されている請求項１記載のダイヤフラムポンプ。
【請求項４】
上記消音ブロック（30）は、上記吐出孔（９）よりも小さい貫孔（31）を有する円筒状に形成されている請求項１又は３記載のダイヤフラムポンプ。
【発明の詳細な説明】
【技術分野】
【０００１】
本発明は、流体用のダイヤフラムポンプに関する。
【背景技術】
【０００２】
従来、流体用のダイヤフラムポンプは、吸気弁や吐出弁の開閉音による雑音が発生する場合がある。従来、特許文献１記載のように、吸気弁をダイヤフラムに一体状に設け、吸気弁から発生する雑音を低減するものが知られている。
【特許文献１】特開２００１−２４８５６４号公報
【発明の開示】
【発明が解決しようとする課題】
【０００３】
しかし、吐出弁側が開閉動作をおこなった際に開閉音（吐出側の弁体が吐出側の弁座を叩く音）が発生し、吐出孔を介してポンプ本体の内部から外部に漏れ、雑音となるという問題があった。
【０００４】
そこで、本発明は、吐出弁の開閉音を消音し、静粛性に優れたダイヤフラムポンプの提供を目的とする。
【課題を解決するための手段】
【０００５】
上記目的を達成するために、本発明のダイヤフラムポンプは、円筒状膜弁体が弁座の円筒外周面に開閉自在に接触するように設けられた吐出弁と、吐出孔と、を有するダイヤフラムポンプに於て、上記吐出孔に消音ブロックを介装し、上記吐出弁の開閉音を、消音するように構成したものである。
【０００６】
また、上記消音ブロックは、上記吐出孔を通過する吐出流体を迂回させる迂回流路を上記吐出孔内に形成するように構成されているものである。
【０００７】
また、上記消音ブロックは、上記吐出孔を通過する吐出流体を絞る絞り流路を、上記吐出孔内に形成するように構成されているものである。
また、上記消音ブロックは、上記吐出孔よりも小さい貫孔を有する円筒状に形成されているものである。
【発明の効果】
【０００８】
本発明のダイヤフラムポンプによれば、吐出孔から吐出弁の開閉音（作動音）が漏れるのを有効に消音（軽減）できる。静粛性に優れたダイヤフラムポンプを簡単に製造可能となる。
【発明を実施するための最良の形態】
【０００９】
以下、実施の形態を示す図面に基づき本発明を詳説する。
図１は、本発明の第１の実施の形態を示し、１は、電気モータ等の駆動源２の回転軸２ａに取着されるダイヤフラムポンプ本体である。
ポンプ本体１は、内部に膨縮するポンプ室７を３つ設けている。ポンプ室７は、回転軸２ａの回転軸心Ｌ2 廻りに120 度等間隔に設けられている。
ポンプ室７は、円筒状の弁座14と、碗型のダイヤフラム20によって形成されている。ダイヤフラム20は、ポンプ室７と同様に回転軸２ａの回転軸心Ｌ2 廻りに120 度等間隔に３つ設けられ、回転軸心Ｌ2 に直交する面状のパッキン部21によって一体に連結されダイヤフラム集合体を形成している。
【００１０】
ダイヤフラム20は、弁座14の円筒外周面14ａに接触・離間（開閉）可能に形成された円筒状膜弁体13を一体状に有している。この円筒状膜弁体13と弁座14の円筒外周面14ａによってポンプ室７の吐出弁11を形成している。
また、各（３つ）ポンプ室７と１つの吐出孔９を連通する吐出室８を有している。吐出室８は各ポンプ室７が共用可能に形成されている。
【００１１】
また、弁座14は、回転軸心Ｌ2 と直交平面状の先端面を有する先端壁部14ｂを有している。先端壁部14ｂには、吸気孔４とポンプ室７を連通可能な吸気路６が貫設されている。また、先端壁部14ｂには、傘状弁体12が、吸気路６を開閉可能に設けられている。この傘状弁体12と弁座14の先端壁部14ｂ（の先端面）によって、ポンプ室７の吸込弁10を形成している。
また、ポンプ本体１には、１つの吸気孔４と各（３つの）ポンプ室７を連結する吸気室５を有している。吸気室５は、各ポンプ室７が共用可能に形成されている。
【００１２】
また、ポンプ本体１は、回転軸心Ｌ2 から偏心した位置に配設され、傾斜状に回転軸２ａに取着されるクランク軸25を備えている。また、クランク軸25に取着され各ダイヤフラム20の駆動部22に接続された揺動板26を備えている。ポンプ本体１は、液体及び気体に使用可能である。
【００１３】
そして、ポンプ本体１は、消音ブロック30を内蔵している。図４に、図１の要部拡大図を示す。
図１と図４に於て、ポンプ本体１は、吸気孔４及び吐出孔９を有する蓋体３を備えている。蓋体３の吐出孔９は、蓋体３の底面３ａ側から吐出孔９の吐出軸心Ｌ9 方向に窪んだ円形凹部90を有している。円形凹部90は、吐出軸心Ｌ9 に直交平面状の段差面91を形成している。消音ブロック30は、円形凹部90に、蓋体３の底面３ａ側から、挿入されて、吐出孔９に介装される。また、段差面91と吐出孔９の一部を形成する貫通孔15ａを有するパッキン部材15とで挟まれている。組立工程に於て、消音ブロック30は容易かつ迅速に介装可能である。また、段差面91は、消音ブロック30の位置決め当り面である。
【００１４】
図３に消音ブロック30の平面図を示す。図３及び図４に於て、消音ブロック30は、短円柱状のブロックの外周面30ｂに、軸心Ｌ30方向の外周凹部32を形成し、平面視歯車状に形成されている。また、軸心Ｌ30に直交する両平面30ａ，30ａに、十字路状凹溝33を形成し、さらに、外周縁部近傍で、十字路状凹溝33を包囲する環状窪部34を形成している。吐出軸心Ｌ9 に同心状に配設される。また、消音ブロック30は、円形凹部90に圧入するのが好ましい。材質は、合成樹脂，金属，合成ゴム等自由である。
【００１５】
消音ブロック30は、吐出孔９の円形凹部90に同心状に介装された図４の状態で、段差面91と一方（外部側寄りの）十字路状凹溝33に囲まれた通路と、一方の環状窪部34と円形凹部90の隅部に囲まれた通路と、外周凹部32と円形凹部90の内壁92に囲まれた通路と、他方（内部側寄り）の環状窪部34と内壁92及びパッキン部材15に囲まれた通路と、パッキン部材15と他方の十字路状凹溝33に囲まれた通路と、によって、吐出されるべき気体が、吐出路９の吐出軸心Ｌ9 方向に直進状に送流せず、迂回して送流させる迂回流路52を形成する。
【００１６】
上述した本発明の第１の実施の形態についてダイヤフラムポンプの使用方法（作用）について説明する。
ポンプ本体１は、回転軸２ａが回転することで、クランク軸25が、回転軸心Ｌ2 を中心として周回する。クランク軸25に取着される揺動板26が各ダイヤフラム20に設けられた駆動部22を順次往復運動させ、各ポンプ室７を順次膨縮させる。
ポンプ室７がダイヤフラム20によって圧縮されることで、図１に示すように、円筒状膜弁体13が弁座14の円筒外周面14ａからポンプ室７の内圧により離間し、ポンプ室７から吐出弁11を介して流体が各ポンプ室７と共用の吐出室８に排出される。吸込弁10は、ポンプ室７からの内圧により吸気路６を閉鎖し吸気孔４からの流体の侵入及び排出を防ぐ。
ポンプ室７がダイヤフラム20によって膨張することで、内部が負圧となり、吸込弁10が吸気路６を開口し、吸気孔４から各ポンプ室７と共用の吸気室５を介しての流体を流入させる。円筒状膜弁体13は、図２に示すようにポンプ室７の負圧により弁座14の円筒外周面14ａに密着し、流体の排出及び逆流を防ぐ。
【００１７】
このようにポンプ本体１が、円筒状膜弁体13が弁座14の円筒外周面14ａに接触・離間して開閉動作すると、円筒状膜弁体13が弁座14の円筒外周面14ａを叩く開閉音が発生する（吐出弁11は動作すると開閉音を発生する）。この開閉音（作動音）は、送流すべき流体が気体（空気等）の場合に、吐出孔９を介してポンプ本体１の外部に漏れ、雑音となる虞れがある。ところが、ポンプ本体１の吐出孔９に介装される消音ブロック30によって、開閉音は消音される。
【００１８】
吐出流体（吐出されるべき気体）は、吐出孔９に介装された消音ブロック30に衝突後、迂回流路52（十字路状凹溝33、外周凹部32、円形凹部90等）に沿って外部側の吐出孔９に送流され吐出される。
開閉音が迂回流路52に侵入しても、外部に漏れるためには、多数回の繰返し反射が必要となるため、開閉音は迂回流路52内を反射（通過）中に消音（減衰）される。つまり、吐出弁11の開閉音はポンプ本体１内部で消音され外部に雑音を発生させない。
【００１９】
消音ブロック30を取り外すことで、液体用としてポンプ本体１を使用しても良い。
製造の際に、ポンプ本体１の各部品（ダイヤフラム20や蓋体３等）を共通部品として、蓋体３に消音ブロック30を介装させるだけで、静音（静粛）対応（主に気体用）のダイヤフラムポンプとすることができる。介装させないものを液体用のダイヤフラムポンプとすることができる。
【００２０】
次に、第２の実施の形態について説明する。図５に消音ブロック３の平面図を示す。図６に、蓋体３に介装された状態の要部拡大断面図を示す。
消音ブロック30を、短い円筒状に形成している。つまり、軸心Ｌ30と同心状の貫孔31を貫設している。貫孔31は、吐出孔９の吐出半径寸法Ｒ2 より小さい内周半径寸法ｒ2 に設定されて、絞り流路51を形成する。消音ブロック30の外周面30ｂは、迂回するような通路を形成せず、円形凹部90の内壁92に密着する。一方の平面30ａは、段差面91に接触する。貫孔31は、吐出孔９に同心状に配設される。
【００２１】
吐出流体（吐出すべき気体）は、絞り流路51（貫孔31）を介して吐出孔９から外部に吐出される。
開閉音は、消音ブロック30に衝突することで、ポンプ本体１内部に反射され閉じ込められて消音される。また、絞り流路51（貫孔31）を通過する開閉音は、極めて小さな音量となってポンプ本体１の外部で雑音とはならない。
【００２２】
なお、本発明は、設計変更可能であって、例えば、吐出孔９に円形凹部90を形成せずに、消音ブロック30を介装させても良い。この場合に、吐出孔９を外部に吐出しないように、吐出孔９側に雌ネジ部を形成し、消音ブロック30に雄ネジ部を形成して螺着による抜け止め手段を設けるのが望ましい。また、吐出孔９に消音ブロック30を圧入のみで介装しても良い。
【００２３】
以上のように、本発明は、円筒状膜弁体13が弁座14の円筒外周面14ａに開閉自在に接触するように設けられた吐出弁11と、吐出孔９と、を有するダイヤフラムポンプに於て、吐出孔９に消音ブロック30を介装し、吐出弁11の開閉音を、消音するように構成したので、吐出孔９から吐出弁11の開閉音が漏れるのを防止できる。静粛性に優れたダイヤフラムポンプとすることができる。
【００２４】
また、消音ブロック30は、吐出孔９を通過する吐出流体を迂回させる迂回流路52を吐出孔９内に形成するように構成されているので、吐出孔９から吐出弁11の開閉音が漏れるのを防止できる。開閉音が漏れる迄に多数の反射を繰り返させ確実に開閉音を消音できる。反射や閉じ込めることで音を減衰させ消音させるので、吸音材等の特殊な材料を用いなくとも容易に消音できる。
【００２５】
また、消音ブロック30は、吐出孔９を通過する吐出流体を絞る絞り流路51を、吐出孔９内に形成するように構成されているので、開閉音を確実に消音できる。吐出流体の流量を大きく減少せることなく開閉音を消音できる。反射や閉じ込めることで音を減衰させ消音させるので、吸音材等の特殊な材料を用いなくとも容易に消音できる。
【００２６】
また、消音ブロック30は、吐出孔９よりも小さい貫孔31を有する円筒状に形成されているので消音ブロック30を容易かつ安価に製作できる。吐出孔９に同心状に絞り流路51を形成でき吐出流体の流れ抵抗を大きく増加させずに消音できる。
【図面の簡単な説明】
【００２７】
【図１】本発明のダイヤフラムポンプの第１の実施の形態を示す側面断面図である。
【図２】作用を説明する要部断面図である。
【図３】消音ブロックの一例を示す平面図である。
【図４】要部拡大図である。
【図５】消音ブロックの別の一例を示す平面図である。
【図６】第２の実施の形態の作用を説明する要部断面図である。
【符号の説明】
【００２８】
９  吐出孔
11  吐出弁
13  円筒状膜弁体
14  弁座  
14ａ  円筒外周面
30  消音ブロック  
31  貫孔
51  絞り流路
52  迂回流路
【図１】
2010007472.tif 000003
【図２】
2010007472.tif 000004
【図３】
2010007472.tif 000005
【図４】
2010007472.tif 000006
【図５】
2010007472.tif 000007
【図６】
2010007472.tif 000008